(57)【特許請求の範囲】
【請求項１】
ラマン増幅の利得媒質である光ファイバと、前記光ファイバを信号光が入射される前方から励起する第１の励起光源と、前記光ファイバを後方から励起する第２の励起光源と、前記第１の励起光源からの励起光と信号光とを合波する第１の合波器と、前記第２の励起光源からの励起光と信号光とを合波する第２の合波器とを備えたラマン増幅器であって、
前記第１の励起光源および第２の励起光源がそれぞれ単数または複数の励起光波長を有し、前記第１の励起光源の励起光波長と、前記第２の励起光源の励起光波長とが異なり、前記光ファイバの真ん中付近の距離に、前記第１の励起光源からの励起光を反射する第１の光学素子、または、前記第２の励起光源からの励起光を反射する第２の光学素子のいずれか一方、あるいは両方を有することを特徴とするラマン増幅器。
【請求項２】
前記第１、第２の光学素子が、ファイバグレーティング、または、合分波器とミラーの組、のいずれかであることを特徴とする請求項１に記載のラマン増幅器。
【請求項３】
前記光ファイバが、伝送ファイバであることを特徴とする請求項１または２のいずれかに記載のラマン増幅器。
【請求項４】
前記光ファイバが、ラマンファイバであることを特徴とする請求項１または２のいずれかに記載のラマン増幅器。
【発明の詳細な説明】
【０００１】
【発明の属する技術分野】
本発明は、光ファイバ通信システムに係り、特に光ファイバ通信システムに使用されるラマン増幅器に関する。
【０００２】
【従来の技術】
波長多重の光ファイバ通信システムで用いられる、従来技術のラマン増幅器の構成を図８に示す（Y.Emori et al.,Proc.of OFC,PD19,1999）。このラマン増幅器は、入力した波長多重の信号光を増幅する。このラマン増幅器は、利得媒質である光ファイバ６００と、光ファイバ６００を光励起する励起光源６０２と、励起光源６０２からの励起光と信号光とを合波する合波器６０４とを有する。
【０００３】
光ファイバ６００は、集中増幅構成で用いるラマンファイバとよばれるファイバボビン等に巻いて収納したもの、または分布増幅構成で用いる市中に敷設した伝送ファイバそのものである。ただし、通常光ファイバの前後に設置するアイソレータなどの自明な光部品は、説明の便宜上、図８では省略してある。図８に示すラマン増幅器では、より多くの場合に採用される、信号光と励起光の伝搬方向が逆となる配置、すなわち後方向励起で励起しているが、信号光と励起光の伝搬方向が同じとなる配置、すなわち前方向励起であっても以下に述べることが同様に成り立つ。
【０００４】
図８において、励起光源６０２からの励起光の波長をλp1、λp2、λp3、λp4と表わし、それらを１４２０，１４５０，１４８０，１５１０ｎｍとしている。ちなみに、ラマン増幅器では、信号光利得の波長域は励起光波長の約１００ｎｍ長波長側に位置する。図８に示す従来のラマン増幅器は、励起光波長を広い波長域に渡って設置することにより、特に広い信号光波長域で利得が得られるように工夫した広帯域のラマン増幅器である。
【０００５】
以下の説明では、励起光波長を３０ｎｍ間隔の４波長としているが、波長間隔、波長数は任意でよく、下記に述べることが同様に成り立つ。例えば、１５ｎｍ間隔の１４２０−１５１０ｎｍの７波長、１０ｎｍ間隔の１４２０−１５１０ｎｍの１０波長、１０ｎｍ間隔の１４２０−１４９０ｎｍの８波長、および不等間隔の１４２０−１５１０ｎｍ配置などでもよい。
【０００６】
図８に示すラマン増幅器における、励起光パワーのスペクトルを図９に示す。各励起光波長当たりで利用できる励起光パワーは通常、励起光源の性能等により制限されているので、それをＰ0としている。Ｐ0の値は、例えば２００ｍＷである。図８に示した従来のラマン増幅器の利得スペクトルを図１０に示す。信号光波長１５２０−１６１０ｎｍにおいて、平坦利得が得られている。その平坦利得をＧ0としているが、その値は１０ｄB程度であり、利得帯域幅は９０ｎｍである。
【０００７】
多波長の励起光間にもラマン利得に起因する相互作用（増幅および吸収、H.Kidorf et al.,IEEE Photon.Technol.Lett.,Vol.11,pp.530-532,1999）があるので、長波長の励起光パワーが短波長の励起光パワーより小さくなっている。図９に見られる、励起光スペクトルの波長依存偏差は、信号光利得が大きいほど大きい。これは、信号光のラマン利得が大きいほど、励起光間の相互作用が大きいからである。
【０００８】
【発明が解決しようとする課題】
図１１は、所期の平坦利得Ｇ0を得るための、平坦利得と利得帯域幅の関係を、従来のラマン増幅器および後述の本発明に係るラマン増幅器の場合につき示している。信号光平坦利得が大きい程、利得帯域幅が制限され小さくなっていることが判る。これは、信号光平坦利得が大きいほど、励起光間相互作用が大きく、励起光パワースペクトルの波長偏差が大きくなるので、励起光波長の分布幅を狭くする必要が生じるからである。
【０００９】
例えば、従来技術では、信号光平坦利得が１０ｄBのとき、利得帯域幅は約９０ｎｍであるが、信号光平坦利得が２０ｄBのとき、利得帯域幅は約３０ｎｍである。多くのシステムにおいて、１０ｄB程度の信号光平坦利得では十分大きいとは言えないので、従来のラマン増幅器にあっては、信号光平坦利得を大きくすると、利得帯域幅が制限されるという問題が有った。
本発明はこのような事情に鑑みてなされたものであり、従来に比して信号光平坦利得を大きくしても利得帯域幅が制限されないラマン増幅器を提供することを目的とする。
【００１０】
【課題を解決するための手段】
上記目的を達成するために請求項１に記載の発明は、ラマン増幅の利得媒質である光ファイバと、前記光ファイバを信号光が入射される前方から励起する第１の励起光源と、前記光ファイバを後方から励起する第２の励起光源と、前記第１の励起光源からの励起光と信号光とを合波する第１の合波器と、前記第２の励起光源からの励起光と信号光とを合波する第２の合波器とを備えたラマン増幅器であって、前記第１の励起光源および第２の励起光源がそれぞれ単数または複数の励起光波長を有し、前記第１の励起光源の励起光波長と、前記第２の励起光源の励起光波長とが異なり、前記光ファイバの真ん中付近の距離に、前記第１の励起光源からの励起光を反射する第１の光学素子、または、前記第２の励起光源からの励起光を反射する第２の光学素子のいずれか一方、あるいは両方を有することを特徴とする。
【００１２】
また、請求項２に記載の発明は、請求項１に記載のラマン増幅器において、前記第１、第２の光学素子が、ファイバグレーティング、または、合分波器とミラーの組、のいずれかであることを特徴とする。
【００１３】
また、請求項３に記載の発明は、請求項１または２のいずれかに記載のマン増幅器において、前記光ファイバが、伝送ファイバであることを特徴とする。
【００１４】
また、請求項４に記載の発明は、請求項１または２のいずれかに記載のラマン増幅器において、前記光ファイバが、ラマンファイバであることを特徴とする。
【００１５】
請求項１乃至４に記載の発明によれば、ラマン増幅の利得媒質である光ファイバと、前記光ファイバを信号光が入射される前方から励起する第１の励起光源と、前記光ファイバを後方から励起する第２の励起光源と、前記第１の励起光源からの励起光と信号光とを合波する第１の合波器と、前記第２の励起光源からの励起光と信号光とを合波する第２の合波器とを備えたラマン増幅器であって、前記第１の励起光源および第２の励起光源がそれぞれ単数または複数の励起光波長を有し、前記第１の励起光源の励起光波長と、前記第２の励起光源の励起光波長とが異なり、前記光ファイバの真ん中付近の距離に、前記第１の励起光源からの励起光を反射する第１の光学素子、または、前記第２の励起光源からの励起光を反射する第２の光学素子のいずれか一方、あるいは両方を有するので、従来のラマン増幅器における欠点であった、信号光平坦利得を大きくすると、利得帯域幅が制限される、あるいは、利得帯域幅を大きくすると、信号光平坦利得が制限される、という問題を解消することができる。
【００１９】
【発明の実施の形態】
以下、本発明の実施の形態を図面を参照して詳細に説明する。なお、第１乃至第５の実施の形態に係るラマン増幅器の構成を示す各図において、同一の構成要素については、同一の参照符号を付し、重複する説明は省略する。
[第１の実施の形態]
本発明の第１の実施の形態に係るラマン増幅器の構成を図１に示す。図８に示す従来のラマン増幅器では利得媒質である光ファイバを、片方向から波長λp1、λp2、λp3、λp4で励起していたが、本発明の第１の実施の形態に係るラマン増幅器では、まず、光ファイバに対し双方向励起構成とし、励起光波長を励起方向で分離している。
【００２０】
すなわち、前方向の励起波長をλp1、λp2、後方向の励起波長をλp3、λp4としている。励起光は光ファイバを伝搬する過程で損失を受けるので、本実施例では、従来技術と比べて波長の異なる励起光間の相互作用が少なく、従来のラマン増幅器で問題であった、励起光スペクトルの波長偏差が低減できる。ただし、その低減効果は、光ファイバが長く、励起光波長における損失が大きいほど顕著である。
【００２１】
図１において、本実施の形態に係るラマン増幅器は、光ファイバ１００と、光ファイバ１００を信号光が入射される前方から励起する励起光源（第１の励起光源）３００と、光ファイバ１００を後方から励起する励起光源（第２の励起光源）３０２と、励起光源３００からの励起光と信号光とを合波する合波器（第１の合波器）２００と、励起光源３０２からの励起光と信号光とを合波する合波器（第２の合波器）２０２とを有している。また、励起光源３００、３０２がそれぞれ複数の励起光波長を有し、励起光源３００の励起光波長と、励起光源３０２の励起光波長とが異なるように構成されている。
【００２２】
利得媒質である光ファイバ１００は伝送ファイバまたはラマンファイバである。伝送ファイバの例としては、８０ｋｍの分散シフトファイバであり、励起光のファイバ損失は約２０ｄBである。ラマンファイバの例としては、８ｋｍのファイバであり、励起光のファイバ損失は約３ｄBである。励起光波長は前方向励起と後方向励起でそれぞれ１４２０、１４５０ｎｍおよび１４８０、１５１０ｎｍである。励起光源３００、３０２の例としては、レーザダイオードを偏波多重および波長多重したもので、１波長当たりの最大励起光パワーは約２００ｍＷである。伝送ファイバの場合には、その真ん中付近の距離における励起光パワーは、入力値の約１０ｄB低下値（１０分の１）であるから、前方向励起と後方向励起の励起光間の相互作用は、従来例に比べ著しく小さい。
【００２３】
一方、ラマンファイバの場合には、その真ん中付近の距離における励起光パワーは、入力値の約１．５ｄB低下値であり、従来技術に比べ、やはり励起光間の相互作用の低減がある。
同じ伝送ファイバを用いた従来のラマン増幅器では、最大励起光パワーＰ0を約２００ｍＷとして、励起光スペクトルは図９に示す形状であり、利得スペクトルは、平均利得Ｇ0を約１０ｄBとして図１０に示す形状である。
【００２４】
一方、本発明の第１の実施の形態の場合、励起光スペクトルおよび利得スペクトルは、それぞれ図３および図４に示したようになる。例えば、図４の条件−Bにおける平坦利得は約１５ｄBであり、既述した従来のラマン増幅器の平坦利得が１０ｄB（図１０）であるのに比べ顕著な向上がある。
また、本実施の形態に係るラマン増幅器における平坦利得と利得帯域幅の関係を、図１１に示す。同図に示すように、本実施の形態に係るラマン増幅器により、同じ平坦利得における利得帯域幅が拡大しており、特に、励起光間の相互作用が大きくなる、平坦利得の大きな領域では、従来のラマン増幅器と本実施の形態に係るラマン増幅器との差が顕著である。
【００２５】
[第２の実施の形態]
次に、本発明の第２の実施の形態に係るラマン増幅器の構成を図２に示す。本実施の形態に係るラマン増幅器の構成は、励起光波長における損失が大きくない場合に特に有効である。本実施の形態では、光ファイバ中に励起光の反射素子（光学素子）を設置し、前方向伝搬励起光と後方伝搬励起光がともに伝搬する光ファイバの領域を除去するか、または低減するように構成している。
【００２６】
本実施の形態に係るラマン増幅器は、光ファイバ１００と、光ファイバ１００を信号光が入射される前方から励起する励起光源（第１の励起光源）３００と、光ファイバ１００を後方から励起する励起光源（第２の励起光源）３０２と、励起光源３００からの励起光と信号光とを合波する第１の合波器２００と、前記第２の励起光源からの励起光と信号光とを合波する合波器（第２の合波器）２０２とを有し、励起光源３００、３０２が、それぞれ単数または複数の励起光波長を有し、励起光源３００の励起光波長と、励起光源３０２の励起光波長とが異なり、光ファイバ１００の途中に、励起光源３００からの励起光（前方向伝搬励起光）を反射する第１の光学素子としてのファイバグレーティング（ＦＧ−Ｆ）４００と、励起光源３０２からの励起光（後方向伝搬励起光）を反射する第２の光学素子としてのファイバグレーティング（ＦＧ−Ｂ）４０２とを有している。
【００２７】
利得媒質である光ファイバ１００は伝送ファイバまたはラマンファイバである。伝送ファイバの例としては、２０ｋｍの分散シフトファイバ（県内網や地域網を想定している）であり、非励起時の励起光損失は約５ｄBである。ラマンファイバの例としては、８ｋｍのファイバであり、非励起時の励起光損失は約３ｄBである。合波器２００、２０２、励起光源３００、３０２は、第１の実施の形態に係るラマン増幅器におけるそれらと同一構成である。
【００２８】
ファイバグレーティング４００、４０２は光ファイバ１００の真ん中付近の距離に設置している。伝送ファイバの場合には、その真ん中付近の距離における励起光パワーは、入力値の約２．５ｄB低下値であり、ラマンファイバの場合には、入力値の約１．５ｄB低下値であるから、ファイバグレーティング４００、４０２により相当量の励起光が反射され、励起光間の相互作用が低減される。すなわち、前方向伝搬励起光はファイバグレーティング（ＦＧ−Ｆ）４００で反射され、後方向伝搬励起光はファイバグレーティング（ＦＧ−Ｂ）４０２で反射されるので、図２のように光学素子としてのファイバグレーティングを配置すると、前方向伝搬励起光と後方向伝搬励起光は相互作用しない。
【００２９】
ファイバグレーティング（ＦＧ−Ｆ）４００とファイバグレーティング（ＦＧ−Ｂ）４０２の位置関係が逆で、ファイバグレーティング（ＦＧ−Ｆ）とファイバグレーティング（ＦＧ−Ｂ）がそれぞれ前方向伝搬励起光と後方向伝搬励起光のみを反射する場合には、明らかに、前方向伝搬励起光と後方向伝搬励起光は完全には分離しないが、相互作用はやはり低減される。
【００３０】
したがって、本実施の形態に係るラマン増幅器によれば、第１の実施の形態と同様に、所期の平坦利得における平坦利得帯域幅が従来技術に比べ大きく、かつ平坦利得帯域幅における平坦利得が従来技術に比べ大きいという効果がある。
尚、図２に示したラマン増幅器では、光学素子としてのファイバグレーティング（ＦＧ−Ｆ）４００、ファイバグレーティング（ＦＧ−Ｂ）４０２の両方を設けたが、これらのうちのいずれか一方のみを設けるようにしてもよい。
【００３１】
本実施の形態に係るラマン増幅器における励起光パワースペクトルを図３に示す。図３は、条件−Ａ（図３（Ａ））および条件−Ｂ（図３（Ｂ））について示しているが、条件−Ａでは、ラマン増幅器が従来のラマン増幅器と同じ平坦利得Ｇ0を有し、条件−Ｂでは、各波長での励起光パワーの限界値を従来のラマン増幅器と同じ値Ｐ0に保って、平均利得を最大化している。条件−Ａおよび条件−Ｂともに、図３に示す励起光パワースペクトルの波長偏差は、従来のラマン増幅器の波長偏差より小さくなっている。
【００３２】
本実施の形態に係るラマン増幅器における利得スペクトルを、図４に示す。条件−Bでは、従来例より大きな利得が得られている。また、条件−Ａでは、励起光源を、励起光パワーの限界値Ｐ０より小さなパワーで駆動できるので、励起光源の低価格化や高信頼化が図れるという利点がある。
本実施の形態に係るラマン増幅器における平坦利得と利得帯域幅の関係を従来例と比較して図１１に示す。本発明により、同じ平坦利得における利得帯域幅が拡大しており、特に、励起光間の相互作用が大きくなる、平坦利得の大きな領域では、従来例と本実施の形態に係るラマン増幅器との差が顕著である。
【００３３】
[第３の実施の形態]
本発明の第３の実施の形態に係るラマン増幅器の構成を図５に示す。本実施の形態に係るラマン増幅器が、第２の実施の形態に係るラマン増幅器と構成上、異なるのは、励起光を反射する光学素子が、第２の実施の形態ではファイバグレーティング（ＦＧ）であったが、本実施の形態では、合分波器５００、５０２とミラー５１０、５１２から構成される点であり、他の構成は同一である。
【００３４】
本実施の形態に係ラマン増幅器は、光ファイバ１００と、光ファイバ１００を信号光が入射される前方から励起する励起光源（第１の励起光源）３００と、光ファイバ１００を後方から励起する励起光源（第２の励起光源）３０２と、励起光源３００からの励起光と信号光とを合波する第１の合波器２００と、前記第２の励起光源からの励起光と信号光とを合波する合波器（第２の合波器）２０２とを有し、励起光源３００、３０２が、それぞれ単数または複数の励起光波長を有し、励起光源３００の励起光波長と、励起光源３０２の励起光波長とが異なり、光ファイバ１００の途中に、励起光源３００からの励起光（前方向伝搬励起光）を反射する第１の光学素子としての合分波器５００及びミラー５１０と、励起光源３０２からの励起光（後方向伝搬励起光）を反射する第２の光学素子としての合分波器５０２及びミラー５１２とを有している。
【００３５】
ファイバグレーティング（ＦＧ）は挿入損失が小さく、反射率が高くとれるなどの利点があるが、本実施の形態に係るラマン増幅器を構成する、合分波器５００、５０２は誘電体多層膜型のもので形成されており、この合分波器５００、５０２は広い波長域の励起光波長に対して多波長励起光の一括反射が容易に行えるなどの利点がある。
本実施の形態によれば、第２の実施の形態と同様に、所期の平坦利得における平坦利得帯域幅が従来例に比べ大きく、かつ所期の平坦利得帯域幅における平坦利得が従来例に比べ大きいという効果がある。
【００３６】
[第４の実施の形態]
次に、本発明の第４の実施の形態に係るラマン増幅器の構成を図６に示す。
本実施の形態に係るラマン増幅器が第２の実施の形態に係るラマン増幅器と構成上、異なるのは、第２の実施の形態に係るラマン増幅器における励起光源３００、３０２の代わりに励起光の波長配置が異なる励起光源３００ａ，３０２ａを用いた点であり、他の構成は同一である。すなわち、励起光源３００ａから射出るされる励起光の波長は１４２０、１５１０ｎｍであり、励起光源３０２ａから射出るされる励起光の波長は１４５０，１４８０ｎｍである。
【００３７】
本発明の実施の形態に係るラマン増幅器は、本実施の形態に係るラマン増幅器は、光ファイバ１００と、光ファイバ１００を信号光が入射される前方から励起する励起光源（第１の励起光源）３００ａと、光ファイバ１００を後方から励起する励起光源（第２の励起光源）３０２ａと、励起光源３００からの励起光と信号光とを合波する第１の合波器２００と、前記第２の励起光源からの励起光と信号光とを合波する合波器（第２の合波器）２０２とを有している。
【００３８】
さらに、本発明の実施の形態に係るラマン増幅器は、励起光源３００ａ、３０２ａが、それぞれ単数または複数の励起光波長を有し、励起光源３００ａの励起光波長と、励起光源３０２ａの励起光波長とが異なり、光ファイバ１００の途中に、励起光源３０２ａからの励起光（前方向伝搬励起光）を反射する第１の光学素子としてのファイバグレーティング（ＦＧ−Ｆ）４００と、励起光源３０２ａからの励起光（後方向伝搬励起光）を反射する第２の光学素子としてのファイバグレーティング（ＦＧ−Ｂ）４０２とを有している。
【００３９】
ラマン増幅器の性能としては、第２の実施の形態と比べ、雑音波長スペクトル特性などが異なる。第２の実施の形態と同様に、所期の平坦利得における平坦利得帯域幅が従来技術に比べ大きい、また、所期の平坦利得帯域幅における平坦利得が従来技術に比べ大きいという効果がある。
【００４０】
[第５の実施の形態]
本発明の第５の実施の形態に係るラマン増幅器の構成を図７に示す。本実施の形態に係るラマン増幅器では、異なる光ファイバ中に、異なる波長の励起光を伝搬させ、励起光間の相互作用を低減するようにしている。
本実施の形態に係るラマン増幅器は、複数の光ファイバ１００ａ（伝送ファイバ），１００ｂ（ラマンファイバ）と、複数の光ファイバ１００ａ，１００ｂの各々に対応して設けられ複数の光ファイバ１００ａ，１００ｂの各々を励起する複数の励起光源３００、３０２と、複数の励起光源３００、３０２の各々に対応して設けられ複数の励起光源３００、３０２からの励起光と信号光を合波する複数の合波器２００ａ，２０２とを備え、複数の励起光源３００、３０２の各々が複数の励起光波長を有する。
【００４１】
上記構成からなる本実施の形態に係るラマン増幅器では、励起光源３０２により波長１４８０ｎｍ（λp3）、１５１０ｎｍ（λp4）の励起光でラマンファイバ１００ｂを励起して集中増幅を行い、励起光源３００により波長１４２０ｎｍ（λp1）、１４５０ｎｍ（λp2）の励起光で伝送ファイバ１００ａを励起して分布増幅を行っている。伝送ファイバ１００ａの例としては、５０ｋｍの１．３μｍゼロ分散ファイバ、ラマンファイバ１００ｂの例としては、５ｋｍのファイバである。
【００４２】
本実施の形態に係るラマン増幅器では、波長λp1，λp2の励起光を複数の光ファイバのうち第１の光ファイバである伝送ファイバに、波長λp3，λp4の励起光を第２の光ファイバであるラマンファイバに入射させているが、複数の光ファイバ１００ａ，１００ｂのうち、すべてが伝送ファイバ、すべてがラマンファイバ、どちらか一方が伝送ファイバかラマンファイバでもよい。
【００４３】
本実施の形態に係るラマン増幅器によれば、励起光間の相互作用が除去されているので、第１の実施の形態と同様に、所期の平坦利得における平坦利得帯域幅が従来技術に比べ大きく、かつ所期の平坦利得帯域幅における平坦利得が従来例に比べて大きいという効果がある。すなわち、本実施の形態に係るラマン増幅器における励起光パワースペクトルおよび利得スペクトルは、図３および図４と同様であり、図１１に示す特性も本実施の形態に係るラマン増幅器に対して同様に成り立つ。
【００４４】
【発明の効果】
以上述べたように、本発明によれば、光ファイバを励起する励起光間の相互作用を除去するようにしたので、従来技術のラマン増幅器で問題であった、信号光平坦利得を大きくすると、利得帯域幅が制限される、あるいは、利得帯域幅を大きくすると、信号光平均利得が制限される、という欠点を解消できる。
【図面の簡単な説明】
【図１】  本発明の第１の実施の形態に係るラマン増幅器の構成を示すブロック図。
【図２】  本発明の第２の実施の形態に係るラマン増幅器の構成を示すブロック図。
【図３】  図１及び図２に示すラマン増幅器における励起光パワースペクトルを示す特性図。
【図４】  図１及び図２に示すラマン増幅器における利得スペクトルを示す特性図。
【図５】  本発明の第３の実施の形態に係るラマン増幅器の構成を示すブロック図。
【図６】  本発明の第４の実施の形態に係るラマン増幅器の構成を示すブロック図。
【図７】  本発明の第５の実施の形態に係るラマン増幅器の構成を示すブロック図。
【図８】  従来のラマン増幅器の構成を示すブロック図。
【図９】  図８に示す従来のラマン増幅器における利得スペクトルを示す特性図。
【図１０】  従来のラマン増幅器における利得スペクトルを示す特性図。
【図１１】  本発明の各実施の形態に係るラマン増幅器における平坦利得と利得帯域幅との関係を従来例との比較において示した特性図。
【符号の説明】
１００  光ファイバ
１００ａ  伝送ファイバ
１００ｂ  ラマンファイバ
２００、２０２  合波器
３００、３００ａ  励起光源
３０２、３０２ａ  励起光源
４００、４０２  ファイバグレーティング
５００、５０２  合分波器
【図１】
0003655158.tif 000002
【図２】
0003655158.tif 000003
【図３】
0003655158.tif 000004
【図４】
0003655158.tif 000005
【図５】
0003655158.tif 000006
【図６】
0003655158.tif 000007
【図７】
0003655158.tif 000008
【図８】
0003655158.tif 000009
【図９】
0003655158.tif 000010
【図１０】
0003655158.tif 000011
【図１１】
0003655158.tif 000012